(57)【要約】【課題】吸込グリルに外気サーミスタ保持具が一体に設けられた場合であっても、外気サーミスタ保持具のみを使用可能な空気調和装置の室外機を提供する。【解決手段】本発明の空気調和装置の室外機１００は、箱状のケーシング４１、４２、４３と、ケーシング４１、４２、４３に形成された空気の吸い込み口を覆うように取り付けられる吸込グリル２と、外気の温度を検知するサーミスタ本体ｔを保持する外気サーミスタ保持具３とを有する。とくに、外気サーミスタ保持具３は、吸込グリル２に形成された脆弱部２１ａ１、２１ｂ１を介して吸込グリル２に一体に形成され、脆弱部２１ａ１、２１ｂ１で吸込グリルから切り離し可能に設けられている。【選択図】図１
2009139017.tif 000002
【特許請求の範囲】
【請求項１】
箱状のケーシングと、
該ケーシングに形成された空気の吸い込み口を覆うように取り付けられる吸込グリルと、
外気の温度を検知するサーミスタ本体を保持する外気サーミスタ保持具とを有する空気調和装置の室外機であって、
前記外気サーミスタ保持具は、前記吸込グリルに形成された脆弱部を介して前記吸込グリルに一体に成形され、前記脆弱部で前記吸込グリルから切り離し可能に設けられていることを特徴とする空気調和装置の室外機。
【請求項２】
前記外気サーミスタ保持具および前記吸込グリルが、合成樹脂により形成されている請求項１記載の空気調和装置の室外機。
【請求項３】
前記外気サーミスタ保持具は、
前記サーミスタ本体を保持する保持部と、
前記保持部によって保持されたサーミスタ本体を覆うカバー部と、
前記保持部にカバー部を連結する連結部とを有し、
前記連結部が折り曲げられることにより、前記保持部とカバー部とが重なり合うように形成されている請求項１または２記載の空気調和装置の室外機。
【請求項４】
前記ケーシングに、前記外気サーミスタ保持具を支持する支持部が設けられている請求項１〜３のいずれかに記載の空気調和装置の室外機。
【請求項５】
空気調和装置の室外機のケーシングに形成された空気の吸い込み口を覆うように取り付けられる吸込グリルであって、
外気の温度を検知するサーミスタ本体を保持する外気サーミスタ保持具が、脆弱部を介して一体に成形され、前記脆弱部で切り離し可能に設けられている吸込グリル。
【発明の詳細な説明】
【技術分野】
【０００１】
本発明は、吸込グリルに外気サーミスタ保持具が一体に設けられた空気調和装置の室外機および該空気調和装置の室外機に用いられる吸込グリルに関する。
【背景技術】
【０００２】
近年、室内を快適な状態に保つため、室内の温度や風量を調整する空気調和装置が多用されている。空気調和装置は、主に室外機と室内機とから構成されている。室外機は、その内部に熱交換器を有し、熱交換器から外気に対して、熱のやりとりが行われる。そして、室外機には、そのケーシングに外気の吸い込み口が形成され、室外機は、この吸い込み口から外気の吸い込みを行っている。外気の吸い込み口には、ケーシング内の機器の保護および使用者の安全を確保する目的で、合成樹脂により格子状に成形された吸込グリルが、吸い込み口を塞ぐように取り付けられている（特許文献１参照）。
【０００３】
また、空気調和装置の室外機には、外気の温度を検知する外気サーミスタが、室外機の外側表面に設けられる。
【特許文献１】特開平１１−９４３３５号公報
【発明の開示】
【発明が解決しようとする課題】
【０００４】
上記従来のような空気調和装置の室外機では、サーミスタ本体を吸い込み口付近で保持するための合成樹脂製の保持具を、吸込グリルと一体に設けることも可能である。
【０００５】
ところが、降雪量の多い地域では、吸込グリルに雪が付着することによって、熱交換に支障が出るのを防ぐため、吸込グリルが室外機から取り外され、代わりに、防雪フードが、吸い込み口を覆うように取り付けられる。このため、上述の外気サーミスタ保持具が一体に形成された吸込グリルを用いた空気調和装置の室外機では、吸込グリルを取り外すと、サーミスタ保持具まで室外機から取り外されてしまうため、幅広い地域に対応できない、という問題がある。
【０００６】
本発明は、上記従来の問題に鑑みてなされたものであり、吸込グリルに外気サーミスタ保持具が一体に設けられた場合であっても、必要に応じて外気サーミスタ保持具のみを単独で使用可能な空気調和装置の室外機および該空気調和装置の室外機に用いられる吸込グリルを提供することを目的としている。
【課題を解決するための手段】
【０００７】
本発明の空気調和装置の室外機は、箱状のケーシングと、該ケーシングに形成された空気の吸い込み口を覆うように取り付けられる吸込グリルと、外気の温度を検知するサーミスタ本体を保持する外気サーミスタ保持具とを有する空気調和装置の室外機であって、前記外気サーミスタ保持具は、前記吸込グリルに形成された脆弱部を介して前記吸込グリルに一体に成形され、前記脆弱部で前記吸込グリルから切り離し可能に設けられていることを特徴とする。この発明によれば、吸込グリルに外気サーミスタ保持具が一体に設けられた場合であっても、吸込グリルと外気サーミスタを切り離せるので、必要に応じて、外気サーミスタ保持具のみを単独で使用することができる。
【０００８】
また、前記外気サーミスタ保持具および前記吸込グリルが、合成樹脂により形成されていることが好ましい。この発明によれば、外気サーミスタ保持具および吸込グリルが一体となった部材を一括して製造することができる。
【０００９】
また、前記外気サーミスタ保持具は、前記サーミスタ本体を保持する保持部と、前記保持部によって保持されたサーミスタ本体を覆うカバー部と、前記保持部にカバー部を連結する連結部とを有し、前記連結部が折り曲げられることにより、前記保持部とカバー部とが重なり合うように形成されていることが好ましい。この発明によれば、サーミスタ本体の全体を覆うような複雑な形状の外気サーミスタ保持具であっても吸込グリルの成形時に一括して成形することができる。また、連結部を折り曲げる前にサーミスタ本体を吸込グリルの正面側から保持部に保持させ、その後、カバー部でサーミスタ本体を覆うので、サーミスタ本体を外気サーミスタ保持具に取り付ける作業が容易に行われる。
【００１０】
また、前記ケーシングに、前記外気サーミスタ保持具を支持する支持部が設けられていることが好ましい。この発明によれば、吸込グリルから切り離された外気サーミスタ保持具をケーシングによって支持された状態で使用することができる。
【００１１】
本発明の吸込グリルは、空気調和装置の室外機のケーシングに形成された空気の吸い込み口を覆うように取り付けられる吸込グリルであって、外気の温度を検知するサーミスタ本体を保持する外気サーミスタ保持具が、脆弱部を介して一体に成形され、前記脆弱部で切り離し可能に設けられている。この発明によれば、吸込グリルに外気サーミスタ保持具が一体に設けられた場合であっても、吸込グリルと外気サーミスタを切り離せるので、必要に応じて、外気サーミスタ保持具のみを単独で使用することができる。
【発明の効果】
【００１２】
本発明によれば、吸込グリルに外気サーミスタ保持具が一体に設けられた場合であっても、外気サーミスタ保持具のみを使用することができる。
【発明を実施するための最良の形態】
【００１３】
本発明の空気調和装置の室外機は、箱状のケーシングと、そのケーシングに形成された空気の吸い込み口を覆うように取り付けられる吸込グリルと、外気の温度を検知するサーミスタ本体を保持する外気サーミスタ保持具とを有する。とくに、外気サーミスタ保持具は、吸込グリルに形成された脆弱部を介して吸込グリルに一体に成形され、その脆弱部で吸込グリルから切り離し可能に設けられている。
【００１４】
以下で、本発明の空気調和装置の室外機および該空気調和装置の室外機に用いられる吸込グリルについて、図面を用いて詳細に説明する。
【００１５】
（実施の形態１）
図１は、吸込グリル２と該吸込グリル２に一体に設けられた外気サーミスタ保持具３を取り付けた状態の空気調和装置の室外機１００の正面図である。実施の形態１の空気調和装置の室外機１００は、図１に示されるように、熱交換器、圧縮機、室外ファンおよび制御部などを内部に収容する金属製のケーシング４と、ケーシング４に形成された外気を吸い込むための吸い込み口を覆うように取り付けられる合成樹脂製の吸込グリル２と、制御部に接続され、外気の温度を検知するために、ケーシング４の外側に設けられるサーミスタ本体ｔと、サーミスタ本体ｔを保持する合成樹脂製の外気サーミスタ保持具３とから構成されている。
【００１６】
吸込グリル２と外気サーミスタ保持具３をともに合成樹脂で形成することにより、これらを一括で一体に成形することができる。また、このように、吸込グリル２に外気サーミスタ保持具３が一体に形成されていることによって、吸込グリル２をケーシング４に取り付ければ、外気サーミスタ保持具３もケーシング４に対して間接的に取り付けられる。したがって、室外機１００の組み立て時に、外気サーミスタ保持具３のみをケーシング４に対して取り付ける工程を省くことができる。
【００１７】
ケーシング４は、略水平に設けられた天板４１と、天板４１の下側に天板４１の周縁を囲うように、略垂直に設けられた側板４２と、側板４２の下側に略水平に設けられた底フレーム４３とを含む。ケーシング４には、その側部に、外気をケーシング４の内部に吸い込むための吸い込み口が形成されている。
【００１８】
天板４１には、略水平な面の周縁部から下方に突出した側部に、吸込グリル２をケーシング４の所定の位置に固定するための嵌合孔が形成されている。図１に示されるように、側板４２の縁には、後述の外気サーミスタ保持具３を支持するための突出片（支持部）４２ａが、吸い込み口に向けて突出するように形成されている。突出片４２ａを予め側板４２に形成しておくことにより、外気サーミスタ保持具３を吸込グリル２から切り離して使用する場合に、外気サーミスタ保持具３を所定の位置で支持させて使用することができる。
【００１９】
図２は、吸込グリル２と吸込グリル２に一体に設けられた外気サーミスタ保持具３を説明するための正面図である。吸込グリル２は、図２に示されるように、ケーシング４の外部から内部へ空気を通過させながらも、ケーシング４の内部と外部とを隔てる機能を有する吸込グリル本体２１と、吸込グリル本体２１をケーシング４に対して所定の位置に固定するための３組の取付爪２２とを含む。
【００２０】
吸込グリル本体２１は、正面視で略長方形状を呈し、平面的な広がりを持つ格子のように成形されている。吸込グリル本体２１には、外縁（図１中、紙面左側）に、２つの結合部２１ａ、２１ｂが一体に形成されている。後述の外気サーミスタ保持具３は、この結合部２１ａ、２１ｂの２箇所で吸込グリル本体２１に連結されている。この結合部２１ａ、２１ｂ、および、結合部２１ａ、２１ｂを介して吸込グリル本体２１に連結された外気サーミスタ保持具３は、吸込グリル２をケーシング４の所定の位置に取り付けたときに、上述のケーシング４に形成された突出片４２ａに隣り合う位置に設けられる。
【００２１】
取付爪２２は、吸込グリル本体２１の上端から上方に突出するように、吸込グリル本体２１と一体に形成されている。１組の取付爪２２は、第１取付爪２２ａと２つの第２取付爪２２ｂとを含む。吸込グリル２をケーシング４の所定の位置に取り付ける際には、これらの爪のうち、第１取付爪２２ａを天板４１の側部に形成された所定の嵌合孔に嵌合させ、また、第２取付爪２２ｂを天板４１の側部（垂直な面）に当接させる。
【００２２】
図３は、図１のＡ部を拡大した図であり、図３（ａ）は、サーミスタ本体ｔが外気サーミスタ保持具３に取り付けられた状態を示す図、図３（ｂ）はサーミスタ本体ｔが外気サーミスタ保持具３に取り付けられた状態で、外気サーミスタ保持具３を折り畳んだ状態を示す図である。図４（ａ）は図３（ｂ）のＹ−Ｙ断面図であり、図４（ｂ）は、図３（ｂ）のＸ−Ｘ断面図である。
【００２３】
外気サーミスタ保持具３は、サーミスタ本体ｔを保持するための保持部３１と、保持部３１によって保持されたサーミスタ本体ｔを覆うためのカバー部３２と、保持部３１に対してカバー部３２を連結するための連結部３０とを含む。使用時には、連結部３０が１８０度折り曲げられることにより、保持部３１とカバー部３２とが重なり合い、サーミスタ本体ｔが覆われ、サーミスタ本体ｔに使用者などが直接触れるのを防ぐ。また、サーミスタ本体ｔを外気サーミスタ保持具３に取り付ける際には、図３（ａ）のようにカバー部３２が開いた状態（連結部３０が折り曲げられていない状態）で、サーミスタ本体ｔを吸込グリル２の正面側から保持部３１に保持させ、その後、カバー部３２を１８０度折り曲げて、２つ折りの状態にし、サーミスタ本体ｔの全体を覆う。したがって、サーミスタ本体ｔを外気サーミスタ保持具３に対して吸込グリル２の正面側から取り付けることができ、サーミスタ本体ｔの外気サーミスタ保持具３への収容作業が容易になる。
【００２４】
保持部３１は、正面視で略長方形状の板状を呈した基部３１ｄと、基部３１に一体に設けられ、サーミスタ本体ｔを保持部３１に固定するためのホルダー３１ａと、基部３１ｄに一体に設けられ、使用時にカバー部３２を保持部３１に係合させるための係合片３１ｃと、外気サーミスタ保持具３を吸込グリル本体２１から切り離したときにケーシング４に形成された突出片４２ａに引っ掛けるための引掛け部３１ｅ（図４（ａ）、（ｂ）参照）とを含む。上述の結合部２１ａおよび結合部２１ｂは、基部３１ｄに一体的に形成されている。また、後述の連結部３０の一端もまた、基部３１ｄに一体的に形成されている。ホルダー３１ａおよび係合片３１ｃは、吸込グリル２をケーシング４に取り付けた状態で、保持部３１からケーシング４の外方に向かう方向に突出して形成されている。また、保持部３１には、サーミスタ本体ｔを外気に接触させるための通気孔３１ｂが２箇所に形成されている。
【００２５】
カバー部３２は、前述の保持部３１を介して間接的に吸込グリル２と連結されている。カバー部３２には、サーミスタ本体ｔを外気サーミスタ保持具３内に収容するための収容空間３２ｄが凹状に形成されている。また、カバー部３２には、保持部３１に形成された係合片３１ｃが係合する係合凹部３２ｂと、サーミスタ本体ｔを外気に接触させるための２つの通気孔３２ａと、サーミスタ本体ｔに接続され、制御部にサーミスタ本体ｔを接続するための線ｌを外気サーミスタ保持具３の外部に導出するための導出用凹部３２ｃとが形成されている。カバー部３２が折り畳まれると、導出用凹部３２ｃによって、線ｌを導出する導出口が形成される。
【００２６】
また、カバー部３２が開いた状態（図３（ａ）の状態）では、カバー部３２の下端は保持部３１の上端に、連結部３０によって２箇所で連結されている。連結部３０には、カバー部３２を１８０度折り曲げ可能なように、薄弱部３０ａが形成されている。作業者が外気サーミスタ保持具３を２つ折りの状態になるように折り曲げる際には、カバー部３２を吸込グリル２の手前側（外側）に倒すように、薄弱部３０ａを回転の中心として回転させて保持部３１のホルダー３１ａが形成されている側の面に重ねる。このとき、保持部３１に形成された係合片３１ｃは、カバー部３２の係合凹部３２ｂに係合し、カバー部３２は保持部３１に重ねられた状態に維持される（図３（ｂ）、図４（ａ）参照）。
【００２７】
ここで、外気サーミスタ保持具３と吸込グリル２との結合部分について説明する。
【００２８】
外気サーミスタ保持具３の保持部３１は、前述の２つの結合部２１ａおよび結合部２１ｂにより、間隔を空けた２箇所で吸込グリル本体２１に結合されている。結合部２１ａには、結合部２１ａと保持部３１との境界に沿って、脆弱部２１ａ１が形成され、結合部２１ｂには、結合部２１ｂと保持部３１との境界に沿って、脆弱部２１ｂ１が形成されている。脆弱部２１ａ１、２１ｂ１は、結合部の中でもその厚さが一段と薄く成形されている。このように、保持部３１の何点かを結合部２１ａ、２１ｂを介して吸込グリル２に連結し、かつ、結合部２１ａ、２１ｂと保持部３１との境界に沿って肉厚の薄い脆弱部２１ｂ１、２１ａ１を形成することで、この部分に沿って、吸込グリル２から外気サーミスタ保持具３を容易に切り離すことができる。
【００２９】
図５は、吸込グリル２に一体に設けられた外気サーミスタ保持具３を吸込グリル２から切り離して、外気サーミスタ保持具３および外気サーミスタ保持具３に保持されたサーミスタ本体ｔをケーシング４の側板４２に取り付けた状態を示す図である。図６は、図５のＢ部を拡大した図である。
【００３０】
図５および図６に示されるように、サーミスタ本体ｔが保持された外気サーミスタ保持具３を単独で使用する際には、作業者は、ニッパなどを用いてサーミスタ本体ｔが保持された外気サーミスタ保持具３を吸込グリル２から切り離す。このとき、作業者は、ニッパの刃で前述の脆弱部２１ａ１、２１ｂ１を吸込グリル２の前後方向に挟み込み、脆弱部２１ａ１、２１ｂ１に沿って切り込みを入れる。そして、作業者が外気サーミスタ保持具３を吸込グリル２から離れる方向に引っ張ると、結合部２１ａ、２１ｂが肉厚の薄い脆弱部２１ａ１、２１ｂ１に沿って裂ける。したがって、作業者は、外気サーミスタ保持具３の切り離し作業を容易に行うことができる。作業者は、吸込グリル２から切り離された外気サーミスタ保持具３を、時計回りに約９０度回転させて、保持部３１の係合片３１ｃが形成された側を側板４２の方へ向けた状態で、一対の引掛け部３１ｅの間に突出片４２ａを挿入し、突出片４２ａに対して引掛け部３１ｅを係合させて、サーミスタ保持具３をケーシング４の側に取り付ける。このとき、組み立て後の状態で、外気サーミスタ保持具３は、ケーシング４に形成された突出片４２ａの近傍に位置しているので、サーミスタ本体ｔと制御部とを接続する線ｌの長さを、とくに調整することなく、突出片４２ａに外気サーミスタ保持具３を取り付けることができる。
【００３１】
最後に、作業者は、吸込グリル２のみをケーシング４から取り外す。防雪用のフードを取り付ける際には、この状態から、吸い込み口を覆うようにフードを設置する。このような作業は、空気調和装置の設置現場で行うことができる。したがって、空気調和装置の室外機１００を供給する際に、地域に応じて異なる仕様の室外機を選別する必要がない。
【００３２】
以上の実施の形態によれば、吸込グリル２と一体に形成された外気サーミスタ保持具３において、吸込グリル２と外気サーミスタ保持具３とが、結合部２１ａ、２１ｂの脆弱部２１ａ１、２１ｂ１を介して、切り離し可能に設けられている。これにより、吸込グリル２が室外機１００から取り外された状態で室外機１００を使用する場合であっても、外気サーミスタ保持具３を吸込グリル２から独立させて単独で使用することができる。たとえば、降雪量が多い地域では、吸込グリル２を室外機１００から取り外して使用するが、このような地域であっても、室外機を使用するために、別途サーミスタ保持具のみを準備する必要がない。さらに、本実施の形態の空気調和装置の室外機１００は、幅広い地域に対応できる。
【００３３】
なお、上記実施の形態では、外気サーミスタ保持具３を吸込グリル２から切り離す際に、ニッパなどを用いて切り離した形態について説明したが、本発明はこれに限定されるものではなく、外気サーミスタ保持具３を吸込グリル２から人の手で折り取れるように、両者を脆弱部で接続してもよい。
【００３４】
また、上記実施の形態では、カバー部３２をケーシング４の外側に向けて倒して折り畳んだ形態について説明したが、本発明はこれに限定されるものではなく、カバー部をケーシングの内側に向けて倒して折り畳む形態であってもよい。
【００３５】
また、上記実施の形態では、カバー部３２が、保持部３１の上端に連結部３０を介して連結された形態について説明したが、本発明はこれに限定されるものではなく、カバー部が、保持部の下端あるいは、保持部の側部に連結部を介して連結された形態であってもよい。
【００３６】
また、上記実施の形態では、カバー部３２を折り曲げてサーミスタ本体ｔを覆う形態について説明したが、本発明はこれに限定されるものではなく、カバー部を設けずに、サーミスタ本体が外部に露出された形態であってもよい。
【図面の簡単な説明】
【００３７】
【図１】吸込グリルと該吸込グリルに一体に設けられた外気サーミスタ保持具を取り付けた状態の空気調和装置の室外機の正面図である。
【図２】吸込グリルと該吸込グリルに一体に設けられた外気サーミスタ保持具を説明するための正面図である。
【図３】図１のＡ部を拡大した図であり、（ａ）はサーミスタ本体が保持部に取り付けられた状態を示す図、（ｂ）はサーミスタ本体が保持部に取り付けられた状態で、カバー部を折り畳んだ状態を示す図である。
【図４】（ａ）は図３（ｂ）のＹ−Ｙ断面図であり、（ｂ）は図３（ｂ）のＸ−Ｘ断面図である。
【図５】吸込グリルに一体に設けられた外気サーミスタ保持具を吸込グリルから切り離して、外気サーミスタ保持具および該外気サーミスタ保持具に保持されたサーミスタ本体をケーシングに取り付けた状態を示す正面図である。
【図６】図５のＢ部を拡大した図である。
【符号の説明】
【００３８】
２  吸込グリル
２１ａ、２１ｂ  結合部
２１ａ１、２１ｂ１  脆弱部
３  外気サーミスタ保持具
３０  連結部
３１  保持部
３２  カバー部
４  ケーシング
４２ａ  突出片（支持部）
１００  空気調和装置の室外機
ｔ  サーミスタ本体
【図１】
2009139017.tif 000003
【図２】
2009139017.tif 000004
【図３】
2009139017.tif 000005
【図４】
2009139017.tif 000006
【図５】
2009139017.tif 000007
【図６】
2009139017.tif 000008